(57)【要約】【課題】引き出しを引き出したとき、ユーザーは被収納物全体を一目で観察でき、被収納物を、垂直方向に設けたままで引き出しに対して容易に着脱できる住宅設備機器の引き出しを提供する。【解決手段】引き出し１は、移動自在にキャビネット１２に設けられた引き出し本体３と、揺動して立ち上がることができるように引き出し本体に支持され、被収納物２を着脱可能に位置決め保持する揺動枠体５とを備えている。引き出しを引き出して揺動枠体を立ち上げた状態で、揺動枠体に保持されている被収納物がユーザーＭに対向して位置する。【選択図】図１
2008132205.tif 000002
【特許請求の範囲】
【請求項１】
住宅設備機器のキャビネットに引き出し収納自在に設けられ、被収納物を収納可能な引き出しであって、
前後方向に移動自在に前記キャビネットに設けられた引き出し本体と、
揺動して立ち上がることができるように前記引き出し本体に支持され、前記被収納物を着脱可能に位置決め保持する揺動枠体とを備え、
前記引き出しを前方に引き出して前記揺動枠体を立ち上げた状態で、この揺動枠体に保持されている前記被収納物がユーザーに対向して位置するようにしたことを特徴とする住宅設備機器の引き出し。
【請求項２】
請求項１に記載の住宅設備機器の引き出しであって、
前記揺動枠体は、ほぼ水平方向またはほぼ垂直方向を向いてその姿勢が変化するように前記引き出し本体に支持されるとともに、付勢手段によりほぼ垂直方向側に付勢されており、
前記引き出しが前記キャビネットに収納されているときは、前記揺動枠体はほぼ水平方向を向き、
前記引き出しが前後方向に移動する直線動作に連動して、前記揺動枠体は、前記付勢手段の付勢力によりほぼ垂直方向を向くように付勢されながらほぼ水平方向とほぼ垂直方向を向くように揺動可能であることを特徴とする住宅設備機器の引き出し。
【請求項３】
請求項１または２に記載の引き出しであって、
前記引き出し本体の底板上の収納部にも前記被収納物を収納可能になっており、
前記引き出しを前記キャビネットに収納して前記揺動枠体がほぼ水平方向を向いている状態で、前記引き出し本体の前記収納部が下段で前記揺動枠体が上段となる二段の収納状態であることを特徴とする住宅設備機器の引き出し。
【請求項４】
請求項１，２または３に記載の引き出しであって、
前記揺動枠体が揺動して立ち上がって、その枠先端が上方を向いている状態で、前記揺動枠体の枠後端が揺動中心軸より所定寸法だけ下方に位置するように、前記揺動枠体の根元部は、前記揺動中心軸より前記所定寸法だけ延びて形成されていることを特徴とする住宅設備機器の引き出し。
【請求項５】
請求項１ないし４のいずれかの項に記載の引き出しであって、
前記キャビネットは、シンクを含むシンクキャビネットを有しており、前記引き出しは、このシンクキャビネットに設けられるとともに前記シンクのすぐ下の空間を利用して配置されていることを特徴とする住宅設備機器の引き出し。
【請求項６】
請求項１ないし５のいずれかの項に記載の前記引き出しが前記キャビネットに引き出し収納自在に設けられていることを特徴とする引き出しを有する住宅設備機器。
【発明の詳細な説明】
【技術分野】
【０００１】
本発明は、住宅設備機器のキャビネットに引き出し収納自在に設けられ、被収納物を収納可能な引き出しおよびこれを有する住宅設備機器に関する。
【背景技術】
【０００２】
システムキッチンなど住宅設備機器は、被収納物を収納するための引き出しを備えている場合が多い。たとえば、特許文献１（特開２００３−１８９９５４号公報）には、補助収納部を有する引き出し構造が記載されている。
この引き出し構造では、引き出しの前面部（本発明の前板に相当）が、補助的な収納部として構成されている補助収納部になっている。そして、この補助収納部は、引き出しの開閉のための前後運動とは独立して開閉するようになっている。
【特許文献１】特開２００３−１８９９５４号公報
【発明の開示】
【発明が解決しようとする課題】
【０００３】
特許文献１に記載の引き出し構造は、前面部の裏側の補助収納部に被収納物を収納するとともに、補助収納部を揺動運動で開閉するようになっている。
そのため、引き出しを前方に引き出したとき、ユーザー（使用者）は収納済みの被収納物をすぐに直接見ることはできず、補助収納部を揺動させる必要があった。また、補助収納部が前面部の裏側にあるので、被収納物を補助収納部に対して出し入れするのが困難であった。
【０００４】
本発明は、このような課題を解決するためになされたもので、引き出しを前方に引き出したとき、ユーザーは収納済みの被収納物全体を一目で観察することができ、また、被収納物を、ほぼ垂直方向に向けたままで引き出しに対して容易に着脱することができる住宅設備機器の引き出しおよびこれを有する住宅設備機器を提供することを目的とする。
【課題を解決するための手段】
【０００５】
上述の目的を達成するため、本発明にかかる住宅設備機器の引き出しは、住宅設備機器のキャビネットに引き出し収納自在に設けられ、被収納物を収納可能な引き出しであって、前後方向に移動自在に前記キャビネットに設けられた引き出し本体と、揺動して立ち上がることができるように前記引き出し本体に支持され、前記被収納物を着脱可能に位置決め保持する揺動枠体とを備え、前記引き出しを前方に引き出して前記揺動枠体を立ち上げた状態で、この揺動枠体に保持されている前記被収納物がユーザーに対向して位置するように構成されている。
前記揺動枠体は、ほぼ水平方向またはほぼ垂直方向を向いてその姿勢が変化するように前記引き出し本体に支持されるとともに、付勢手段によりほぼ垂直方向側に付勢されており、前記引き出しが前記キャビネットに収納されているときは、前記揺動枠体はほぼ水平方向を向き、前記引き出しが前後方向に移動する直線動作に連動して、前記揺動枠体は、前記付勢手段の付勢力によりほぼ垂直方向を向くように付勢されながらほぼ水平方向とほぼ垂直方向を向くように揺動可能であるのが好ましい。
本発明の一実施態様として、前記引き出し本体の底板上の収納部にも前記被収納物を収納可能になっており、前記引き出しを前記キャビネットに収納して前記揺動枠体がほぼ水平方向を向いている状態で、前記引き出し本体の前記収納部が下段で前記揺動枠体が上段となる二段の収納状態であるのが好ましい。
前記揺動枠体が揺動して立ち上がって、その枠先端が上方を向いている状態で、前記揺動枠体の枠後端が揺動中心軸より所定寸法だけ下方に位置するように、前記揺動枠体の根元部は、前記揺動中心軸より前記所定寸法だけ延びて形成されているのが好ましい。
一例として、前記キャビネットは、シンクを含むシンクキャビネットを有しており、前記引き出しは、このシンクキャビネットに設けられるとともに前記シンクのすぐ下の空間を利用して配置されているのが好ましい。
本発明にかかる住宅設備機器は、前記引き出しが前記キャビネットに引き出し収納自在に設けられている。
【発明の効果】
【０００６】
本発明にかかる住宅設備機器の引き出しおよびこれを有する住宅設備機器は、上述のように構成したので、引き出しを前方に引き出したとき、ユーザーは収納済みの被収納物全体を一目で観察することができ、また、被収納物を、ほぼ垂直方向に向けたままで引き出しに対して容易に着脱することができる。
【発明を実施するための最良の形態】
【０００７】
下記の実施例にかかる引き出しは、住宅設備機器のキャビネットに引き出し収納自在に設けられ、被収納物を収納可能になっている。この引き出しは、収納用空間を有する引き出し本体と、揺動して立ち上がることができるように引き出し本体に支持され、被収納物を着脱可能に位置決め保持する揺動枠体とを備えている。そして、引き出しを前方に引き出して揺動枠体を立ち上げた状態で、この揺動枠体に保持されている被収納物がユーザーに対向して位置するようになっている。
これにより、引き出しを前方に引き出したとき、ユーザーは、収納済みの被収納物全体を一目で観察することができ、また、被収納物を、ほぼ垂直方向に向けたままで引き出しに対して容易に着脱可能にするという目的を実現している。
【０００８】
本発明における住宅設備機器としては、台所に設置されるキッチン（たとえば、複合厨房家具の一種であるシステムキッチン，セクショナルキッチン）、食器や食品などを収納する収納庫、および台所の流し台などの厨房家具が一般的である。
本発明の引き出しは、洗面化粧台や洗面収納キャビネットなどの洗面機器、およびその他の住宅設備機器にも適用可能である。下記の実施例では、引き出しをシステムキッチンに設けた場合を例にとって説明する。
【実施例】
【０００９】
以下、本発明にかかる実施例を図１ないし図１２を参照して説明する。
図１ないし図１１は本発明の第１実施例を示す図で、図１は、シンクキャビネットに本発明の引き出しが設けられたシステムキッチンの斜視図である。図２はシステムキッチンの断面図、図３は、システムキッチンの断面図で、引き出しの動作を示している。
図４ないし図６は揺動枠体の動作を示す斜視図で、図４は、引き出しが収納されている状態を示している。図５は、引き出しを引き出す途中の状態を示しており、図６は、引き出しを引き出した状態を示している。
図７および図８は、それぞれ引き出しの斜視図および分解斜視図である。図９は、揺動枠体の支持構造を示す部分拡大図で、図９（Ａ）は揺動途中の状態を示し、図９（Ｂ）は揺動枠体が立ち上がった状態を示している。図１０は、揺動枠体を支持するヒンジ部材の斜視図、図１１は、揺動枠体が当接するダンパ部材の斜視図である。
図１２は、本発明の第２実施例を示す図で、調理台キャビネットに本発明の引き出しが設けられたシステムキッチンの斜視図である。
なお、説明の便宜上、各図中の符号Ｄ1，Ｄ2，Ｄ3，Ｄ4で示す各方向を、それぞれシステムキッチンの左方，右方，前方，後方とする。
【００１０】
（第１実施例）
図１に示すように、住宅設備機器としてのシステムキッチン１０は、台所１１に設置されている。本発明にかかる引き出し１は、システムキッチン１０のキャビネット１２に引き出し収納自在に設けられ、被収納物２を収納可能になっている。
キャビネット１２は床面上に設置されている。キャビネット１２は、コンロキャビネット１３，一方の調理台キャビネット１４，シンクキャビネット１５および他方の調理台キャビネット１６などが順次並設された構成であり、ワークトップ１７が、キャビネット１３〜１６の上部を覆って取付けられている。キャビネット１２には、引き出し１のほかに、各種形状，構造の複数の引き出しが、引き出し収納自在に設けられている。
【００１１】
コンロキャビネット１３には、グリル１８を有するＩＨクッキングヒータ１９，引き出し２０，足下の引き出し２８などが設けられて、単体としての厨房家具が構成されている。一方の調理台キャビネット１４は、引き出し２３，２４，足下の引き出し２８などを有して、単体としての厨房家具を構成している。
シンクキャビネット１５の上部のワークトップ１７には、水栓装置２１やシンク２２が設けられている。シンクキャビネット１５は、引き出し１のほかに、水栓装置２１，シンク２２，他の引き出し２５，足下の引き出し２８などを有して、単体としての厨房家具を構成している。
他方の調理台キャビネット１６は、ビルトインにより設けられた食器洗い乾燥機２６と、引き出し２９とを有して、単体としての厨房家具を構成している。調理台キャビネット１４，１６の上部のワークトップ１７は、調理台になっている。
こうして、システムキッチン１０は、単体としての厨房家具が複合した複合厨房家具を構成している。
【００１２】
図１ないし図１１に示す第１実施例では、シンク２２を含むシンクキャビネット１５に引き出し１が設けられ、この引き出し１は、シンク２２のすぐ下の空間Ｓを利用して配置されている。これにより、従来は利用されていなかったシンク２２のすぐ下の空間Ｓを有効利用して、被収納物２を収納することができる。
引き出し１は、前後方向（Ｄ3，Ｄ4方向）に移動自在にキャビネット１２に設けられた引き出し本体３と、揺動して立ち上がることができるように引き出し本体３に支持され、被収納物２を着脱可能に位置決め保持する揺動枠体５とを備えている。引き出し本体３は、前方に位置して固定された前板４を有している。
そして、引き出し１を前方（Ｄ3方向）に引き出して揺動枠体５を立ち上げた状態で、揺動枠体５に保持されている被収納物２が、ユーザー（使用者）Ｍに対向して位置する。したがって、引き出し１を前方に引き出したとき、ユーザーＭは、収納済みの被収納物２の全体を一目で観察することができ、また、被収納物２を、ほぼ垂直方向に向けたままで引き出し１に対して容易に着脱することができる。
【００１３】
第１実施例では、引き出し１が、キャビネット１２を構成するシンクキャビネット１５に設けられて、ワークトップ１７のすぐ下に配置された場合を示している。また、後述する第２実施例（図１２）では、本発明の引き出し１ａが、キャビネット１２を構成する一方の調理台キャビネット１４に設けられて、ワークトップ１７のすぐ下に配置された場合を示している。
このように、本発明の引き出し１，１ａが、ワークトップ１７のすぐ下（すなわち、キャビネット１２の最上部）に配置されているので、調理時に頻繁に使用する被収納物２（たとえば、レードルやその他の調理用器具）を揺動枠体５で位置決め保持することができる。したがって、ユーザーＭは、被収納物２を揺動枠体５に対して迅速に着脱することができ、能率よく調理作業ができる。
なお、引き出し１，１ａを、キャビネット１２の最上部以外の位置に配置したり、シンクキャビネット１５，調理台キャビネット１４以外のキャビネット１３，１６に設けた場合であってもよい。
【００１４】
第１実施例にかかる引き出し１において、揺動枠体５は、ほぼ水平方向（図４）またはほぼ垂直方向（図６）を向いてその姿勢が変化するように、引き出し本体３に支持されるとともに、付勢手段としてのばね２７によりほぼ垂直方向側に付勢されている。
引き出し１がキャビネット１２に収納されているときは、揺動枠体５はほぼ水平方向を向いている。引き出し１が前後方向に移動する直線動作（矢印Ｂに示す動作）に連動して、揺動枠体５は、付勢手段（ばね２７）の付勢力（ばね力）によりほぼ垂直方向を向くように付勢されながら、ほぼ水平方向とほぼ垂直方向を向くように揺動可能である。
図３では、引き出し１がキャビネット１２に収納されている状態を実線で示している。また、引き出し１が前方または後方に移動する途中の状態を鎖線で示し、引き出し１が引き出されて最も前方に位置する状態を破線で示している。
【００１５】
ばね２７を設けたので、ユーザーＭが引き出し１を前方に引き出すと、引き出し１の前進動作に連動して、揺動枠体５が、ばね２７のばね力により自動的に立ち上がってほぼ垂直方向を向く。
また、ユーザーＭが、引き出し１を後方（Ｄ4方向）に押して収納すると、引き出し１の後退動作に連動して、揺動枠体５は、ばね２７のばね力に抗してほぼ垂直方向からほぼ水平方向にその姿勢を変化させる。
その結果、ユーザーＭがわざわざ揺動枠体５を垂直方向に立ち上げたり水平方向に戻す操作を行う必要はなくなり、引き出し１の使い勝手がよい。
なお、ばね２７などの付勢手段を設けない場合であってもよい。この場合には、ユーザーＭが揺動枠体を揺動させて垂直方向に立ち上げたり水平方向に戻したりする操作が必要になる。
【００１６】
引き出し１は、引き出し本体３の底板６上の収納部７にも、被収納物２を収納可能になっている。引き出し１をキャビネット１２に収納して、揺動枠体５がほぼ水平方向を向いている状態で、引き出し本体３の収納部７が下段で、揺動枠体５が上段となる二段の収納状態になっている（図２〜図４）。
すなわち、引き出し１がキャビネット１２に収納されて、揺動枠体５がほぼ水平になっているとき、引き出し本体３の収納部７が下段の収納部となって、この収納部７に被収納物２が収納されている。
他方、引き出し本体３とほぼ平行の姿勢でその上方に位置する揺動枠体５が上段の収納部となって、調理の際に頻繁に使用するレードルなどの調理用器具（被収納物２）が、揺動枠体５にきれいに整列して収納されている。
こうして、引き出し１では、上下二段の収納ができるので、シンク２２のすぐ下の空間Ｓが有効に利用される。また、引き出し本体３の上部空間を揺動枠体５で無駄なく利用しているので、引き出し１における被収納物２を収納する能力が向上し、引き出し１に多くの被収納物２を収納することができる。
【００１７】
キャビネット１２に設けられたすべての引き出しは、受けレールとスライド部材により引き出し収納自在になっており、また、収納状態の引き出しの前板をユーザーＭが後方に押せば、スライド部材などに内蔵された付勢手段（ばねなど）の付勢力（ばね力）により前方に若干押し出されるようになっている。したがって、各引き出しには把手が設けられていない。
各キャビネット１３〜１６の内方の左右には、側板３５が縦方向（床面と垂直方向）に設けられ、側板３５はキャビネット１２の一部を構成している。隣り合うキャビネット１３〜１６同士のあいだの側板３５は仕切り壁の機能を有している。コンロキャビネット１３の左側の側板と、他方の調理台キャビネット１６の右側の側板３５は、外壁板としての機能を有している。
【００１８】
引き出し１の左右に配置されている側板３５には、左右一対の受けレール３４が取付けられている。一対の受けレール３４は、前後方向を向いてほぼ水平に且つ平行に配置されている。
受けレール３４には、スライド部材３６が前後方向にスライド自在に係合している。一対のスライド部材３６は、引き出し本体３の左右両側に取付けられている。こうして、引き出し１は、一対の受けレール３４と一対のスライド部材３６を介して、キャビネット１２に対して前後方向に自在に移動する。
【００１９】
シンクキャビネット１５において、シンク２２には排水口３７が形成されており、排水口３７の下部には排水トラップ３８が取付けられている。排水トラップ３８には排水用の配管３９が接続されて、シンク２２からの排水を流すようになっている。
排水トラップ３８および配管３９などが、シンクキャビネット１５における後方の内部空間Ｓ1に配置されている。水栓装置２１に接続された給水用の配管および弁（図示せず）なども、シンクキャビネット１５の後方の内部空間Ｓ1に配置されている。
したがって、シンクキャビネット１５に設けられる引き出し１，２５，２８は、これら排水口３７，排水トラップ３８，配管類（たとえば、配管３９）および弁などと干渉しないように考慮された形状，寸法を有している。
【００２０】
従来のシンクキャビネットでは、シンク２２の下方に形成された排水口３７や排水トラップ３８などが邪魔になるので、シンクのすぐ前方には幕板が固定されて、引き出しを設けない場合が多かった。
これに対して、本発明では、シンク２２に対応する位置に引き出し１を設けることができるので、シンク２２のすぐ下の空間Ｓを、デッドスペースにすることなく有効利用することができる。
【００２１】
図７ないし図１１に示すように、引き出し１において、引き出し本体３の左右方向の中央部に収納部７が設けられており、収納部７の左側と右側に、補助収納部４７，４８がそれぞれ設けられている。
収納部７，補助収納部４７，４８は、それぞれ被収納物２を適切に分類して収納可能になっており、出し入れし易い所定形状に形成されている。たとえば、収納部７には、嵩張らず比較的厚みの薄い台所用品などが被収納物２として収納され、補助収納部４７には、箸，ナイフ，フォークなどが被収納物として収納され、補助収納部４８には、包丁などが被収納物として収納されている。
なお、引き出し本体３に収納部７を設け、この収納部７に被収納物２を収納可能にしているが、収納部７を設けずに、揺動枠体５のみの一段の収納状態になるようにしてもよい。
このように本発明の引き出し１では、調理作業で使用するすべての調理用器具を引き出し１に収納することができるので、能率よく調理作業を行うことができる。
【００２２】
揺動枠体５は、引き出し本体３の中央の収納部７の後部の連結部で、引き出し本体３に連結されている。すなわち、揺動枠体５は、一つまたは複数（ここでは、二つ）のヒンジ部材４９を介して引き出し本体３に取付けられており、揺動中心軸ＣＬを中心として揺動自在になっている。ヒンジ部材４９はばね２７を有しており、揺動枠体５は、ばね２７のばね力により、引き出し本体３に対して自動的に立ち上がるように付勢されている。
揺動枠体５が揺動して立ち上がって、その枠先端６０が上方を向いている状態で、揺動枠体５の枠後端６１が揺動中心軸ＣＬより所定寸法Ｅだけ下方に位置するように、揺動枠体５の根元部５９は、揺動中心軸ＣＬより所定寸法Ｅだけ延びて形成されている。
したがって、揺動枠体５の枠先端６０から枠後端６１までの長さ寸法Ｌを長くしても、揺動枠体５が揺動動作をしたときに周囲の部材と干渉する恐れがなくなり、レードルなどの比較的長い形状の被収納物２を、揺動枠体５に収納することができる。
【００２３】
引き出し本体３に補助収納部４７，４８を設けたので、揺動枠体５の左右方向の幅寸法Ｗ1は引き出し本体３の左右方向の幅寸法Ｗ2より小さくなっている。また、揺動枠体５は、アルミニウムにより一体成形されている。
このように、揺動枠体５を小型化するとともに軽い材料で形成している。その結果、ヒンジ部材４９に設けられたばね２７のばね力をそれほど強くしなくても、揺動枠体５は、ばね力により自動的に揺動して容易に立ち上がることができる。
【００２４】
揺動枠体５には、弾性変形可能な保持部材５０が、左右方向を向いて所定位置に固定されている。保持部材５０には、保持手段としての複数の凹部５１が並んで形成されている。レードルなどの被収納物２を、保持部材５０の弾性力に抗して凹部５１に係合させれば、凹部５１が弾性変形して被収納物２を位置決め保持することができる（図６の状態）。
被収納物２は保持部材５０の弾性によりしっかりと保持されているので、揺動枠体５が揺動して立ち上がると、被収納物２もほぼ垂直方向を向く。また、揺動枠体５がほぼ水平の姿勢になると、これに保持されている被収納物２もほぼ水平の姿勢になる。
【００２５】
図１ないし図１１に示すように、左右の側板３５のあいだには、案内部材としての一本のガイド棒４６が掛け渡されている。このガイド棒４６は、揺動枠体５の背面４５と摺接して、揺動枠体５の揺動動作を案内する機能を有している。
ガイド棒４６はまっすぐの丸棒であり、シンク２２のすぐ下の空間Ｓで且つ前面に近い位置に配置され、左右方向に延びて固定されている。揺動枠体５の背面４５とガイド棒４６は、滑らかに摺接するようになっている。
揺動枠体５の背面４５は、揺動中心すなわちヒンジ部材４９に近い位置に形成された曲面部５２と、曲面部５２から連続的に延びて形成された平面部５３とにより構成されている。
引き出し本体３の下面５４には、衝撃緩衝手段としてのダンパ部材５５が取付けられている。揺動枠体５の根元部５９の端面５７が、ダンパ部材５５の出没片５６に当接可能になっている。
【００２６】
揺動枠体５が、ばね２７のばね力により自動的に揺動して立ち上がると、揺動枠体５の端面５７が、ダンパ部材５５の出没片５６に当接してこれを押し込む。引き出し本体３の後端面５８に、揺動枠体５の端面５７が当接すると、それ以上揺動枠体５が揺動せず立ち上がった姿勢を維持するようになっており、端面５７と後端面５８がストッパの機能を発揮する。
ダンパ部材５５はショックアブソーバの機能を有しているので、出没片５６がクッションの機能を発揮して、揺動枠体５の揺動動作の衝撃が吸収される。これにより、揺動枠体５は、滑らかな揺動動作で且つ騒音を発生することなく立ち上がって、ほぼ垂直方向を向くことになる。
【００２７】
次に、引き出し１を引き出し収納する場合の動作について説明する。
図３ないし図１１に示すように、引き出し１がキャビネット１２に収納されているときは、ガイド棒４６が、揺動枠体５の背面４５のうち平面部５３をばね２７のばね力に抗して下方に押し付けている。その結果、揺動枠体５はほぼ水平の姿勢を維持している。
次に、引き出し１を矢印Ｂに示すように前方に引き出すと、背面４５がガイド棒４６と摺接しながら、揺動枠体５も前方に移動する。ガイド棒４６が揺動枠体５の平面部５３と摺接しているあいだは、揺動枠体５はほぼ水平の姿勢を維持したままである。
やがて、揺動枠体５の曲面部５２が、ガイド棒４６のところに達して接触し始めると、ガイド棒４６による下方への押圧力が次第に小さくなる。すると、揺動枠体５は、ばね２７のばね力により、揺動中心軸ＣＬを中心として、矢印Ｇに示すように自動的に揺動動作を開始する。
さらに、引き出し１を前方に引き出すと、揺動枠体５は、立ち上がってほぼ垂直方向を向くとともに、その背面４５はガイド棒４６から離れる。このようにして、引き出し１の前方への移動動作に連動して、揺動枠体５は、ばね２７のばね力によりほぼ垂直方向を向くように揺動する。
【００２８】
こうして引き出された引き出し１では、揺動枠体５はほぼ垂直方向に立ち上がっているので、揺動枠体５に保持された被収納物２は、ユーザーＭに対向して整列している。また、引き出し本体３の収納部７に収納された被収納物２も、揺動枠体５に邪魔されることなく露出している。さらに、補助収納部４７，４８は揺動枠体５の動作に無関係なので、これら補助収納部４７，４８に収納されている被収納物も露出している。
したがって、ユーザーＭは、収納済みの被収納物の全体を一目で観察して、必要な被収納物２を、他の被収納物の影響を受けることなく容易に出し入れすることができる。
たとえば、揺動枠体５に関して、ユーザーＭは、使用したい調理用器具（収納済みの被収納物２）や収納すべき場所（空の凹部５１）を、時間を掛けて探すことなく直ちに見付けて、この調理用器具を揺動枠体５から取外したり、空の凹部５１のところに調理用器具を装着することができる。
揺動枠体５がユーザーＭに対向して立ち上がっているので、調理用器具を、ほぼ垂直方向に向けたままで揺動枠体５に対して容易に着脱することができる。また、揺動枠体５が邪魔になることなく、収納部７，補助収納部４７，４８に対しても被収納物の出し入れが容易に行える。
このように、引き出し１の使用が簡単になるので、調理作業を短時間で効率的に行うことができる。
【００２９】
引き出し１に対して被収納物２の出し入れを行なったのち、引き出し１の前板４を後方に押す。すると、揺動枠体５は、その背面４５がガイド棒４６に接触したのち摺接しながら、前記動作と反対の動作を行なう。すなわち、揺動枠体５は、ほぼ垂直に立ち上がっている姿勢から、揺動して徐々にほぼ水平の姿勢になり、やがて、引き出し１はキャビネット１２に収納される。
こうして、引き出し１をキャビネット１２に収納したのち、ユーザーＭは調理作業を行うことになる。
【００３０】
引き出し１がキャビネット１２に収納されると、揺動枠体５はほぼ水平方向を向いている。この状態では、引き出し本体３の収納部７が下段で、その上方に位置する揺動枠体５が上段となる二段の収納状態である。
こうして揺動枠体５が折り畳まれた状態の引き出し１は、シンク２２のすぐ下の空間Ｓに収納されていることになり、この空間Ｓが有効に利用されている。
【００３１】
上述のように、引き出し１が前後方向に移動する直線動作に連動して、揺動枠体５は、ばね２７のばね力によりほぼ垂直方向を向くように付勢されながら、ほぼ水平方向とほぼ垂直方向を向くように揺動する。
したがって、ユーザーＭは、揺動枠体５を立ち上げたり、立ち上がった揺動枠体５を水平にするといった別途の操作が不要になる。その結果、ユーザーＭは引き出し１の引き出し収納動作のみを行えばよく、操作が極めて簡単である。
すなわち、揺動枠体５を揺動させる操作は不要であり、ユーザーＭは、引き出し１を引き出すというワンアクションのみを行えば、引き出し１に対して被収納物２を容易に出し入れすることができる。
【００３２】
揺動枠体５は、ばね２７のばね力によりほぼ垂直方向側に付勢されている。したがって、揺動枠体５の背面４５がガイド棒４６に摺接しながら引き出し１が前方に引き出されると、背面４５がばね力によりガイド棒４６を押圧する反力として、引き出し１を前方に押し出す力が発生する。
このように、ばね２７は、揺動枠体５を揺動させて垂直方向に立ち上げるためのばね力を発揮する第１の機能と、引き出し１を前方に押し出そうとする力を発生する第２の機能とを有している。
ばね２７がこの第２の機能を発揮するので、ユーザーＭは、引き出し１を前方に軽く引っ張れば容易に引き出すことができる。
【００３３】
揺動枠体５は、引き出し１の上部空間を使って立体的に揺動動作を行うので、揺動枠体５の揺動動作は、引き出し１を平面視で見た場合の引き出し１のエリアから外方に飛び出すことなく、このエリア内で完結している。
したがって、引き出し１のエリア外（平面視で見た場合のエリア外）に関する設計や製作に悪影響を及ぼす恐れはない。また、ユーザーＭにとっても、引き出し１に対して被収納物の出し入れを行う際や調理を行う際に、揺動枠体５が邪魔になる恐れはない。
【００３４】
（第２実施例）
図１２に示す第２実施例では、住宅設備機器としてのシステムキッチン１０ａにおいて、一方の調理台キャビネット１４に本発明の引き出し１ａを設け、シンク２２のすぐ前方には幕板３０が固定されている。
なお、シンク２２のところにも、幕板３０の代わりに第１実施例の引き出し１をさらに設けた場合であってもよい。また、第１実施例と同一または相当部分には同一符号を付してその説明を省略し、異なる部分のみ説明する。
【００３５】
引き出し１ａでは、揺動枠体５を引き出し本体３の幅方向一杯に配置している。すなわち、第１実施例での補助収納部４７，４８を省略して、揺動枠体５に対応する収納部７を左右に広げた場合を示している。その結果、揺動枠体５の左右方向の幅寸法Ｗ1が、引き出し本体３の左右方向の幅寸法Ｗ2より若干小さい寸法かまたはほぼ同じ寸法になっている。
引き出し１ａは、システムキッチン１０ａのキャビネット１２に引き出し収納自在に設けられ、被収納物２を収納可能になっている。引き出し１ａは、前後方向に移動自在にキャビネット１２に設けられた引き出し本体３と、揺動して立ち上がることができるように引き出し本体３に支持され、被収納物２を着脱可能に位置決め保持する揺動枠体５とを備えている。
そして、引き出し１ａを前方（Ｄ3方向）に引き出して、揺動枠体５を立ち上げた状態で、揺動枠体５に保持されている被収納物２が、ユーザーＭに対向して位置するようにしている。
したがって、引き出し１ａを前方に引き出したとき、ユーザーＭは、収納済みの被収納物２の全体を一目で観察することができ、また、被収納物２を、ほぼ垂直方向に向けたままで引き出し１ａに対して容易に着脱することができる。
【００３６】
揺動枠体５は、ほぼ水平方向またはほぼ垂直方向を向いてその姿勢が変化するように、引き出し本体３に支持されるとともに、付勢手段としてのばね２７（図１０）によりほぼ垂直方向側に付勢されている。
そして、引き出し１ａがキャビネット１２に収納されているときは、揺動枠体５はほぼ水平方向を向いている。引き出し１ａが前後方向に移動する直線動作に連動して、揺動枠体５は、付勢手段（ばね２７）の付勢力（ばね力）によりほぼ垂直方向を向くように付勢されながら、ほぼ水平方向とほぼ垂直方向を向くように揺動可能である。
引き出し本体３の底板上の収納部７にも、被収納物２を収納可能になっている。引き出し１ａをキャビネット１２に収納して、揺動枠体５がほぼ水平方向を向いている状態で、引き出し本体３の収納部７が下段で、揺動枠体５が上段となる二段の収納状態になっている。したがって、引き出し１ａは、第１実施例の引き出し１と同じ作用効果を奏する。
【００３７】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３８】
本発明は、システムキッチンや収納庫など住宅設備機器のキャビネットに設けられる引き出しに適用可能である。
【図面の簡単な説明】
【００３９】
【図１】図１ないし図１１は本発明の第１実施例を示す図で、図１はシステムキッチンの斜視図である。
【図２】システムキッチンの断面図である。
【図３】システムキッチンの断面図で、引き出しの動作を示している。
【図４】引き出しが収納されている状態を示す斜視図である。
【図５】引き出しを引き出す途中の状態を示す斜視図である。
【図６】引き出しを引き出した状態を示す斜視図である。
【図７】引き出しの斜視図である。
【図８】引き出しの分解斜視図である。
【図９】揺動枠体の支持構造を示す部分拡大図である。
【図１０】揺動枠体を支持するヒンジ部材の斜視図である。
【図１１】揺動枠体が当接するダンパ部材の斜視図である。
【図１２】本発明の第２実施例を示す図で、調理台キャビネットに本発明の引き出しが設けられたシステムキッチンの斜視図である。
【符号の説明】
【００４０】
１，１ａ    引き出し
２    被収納物
３    引き出し本体
５    揺動枠体
６    底板
７    収納部
１０，１０ａ    システムキッチン（住宅設備機器）
１２  キャビネット
１４  調理台キャビネット（キャビネット）
１５  シンクキャビネット（キャビネット）
２２  シンク
２７  ばね（付勢手段）
５９  根元部
６０  枠先端
６１  枠後端
ＣＬ  揺動中心軸
Ｅ    所定寸法
Ｍ    ユーザー
Ｓ    空間
【図１】
2008132205.tif 000003
【図２】
2008132205.tif 000004
【図３】
2008132205.tif 000005
【図４】
2008132205.tif 000006
【図５】
2008132205.tif 000007
【図６】
2008132205.tif 000008
【図７】
2008132205.tif 000009
【図８】
2008132205.tif 000010
【図９】
2008132205.tif 000011
【図１０】
2008132205.tif 000012
【図１１】
2008132205.tif 000013
【図１２】
2008132205.tif 000014